(57)【要約】【課題】コンテンツ情報を一部再生する位置（箇所）を容易に変更することにより、ユーザが所望するコンテンツを効率的に見つけ出す。【解決手段】再生装置１００は、複数のコンテンツのそれぞれの情報を記憶する記憶部１２０と、複数のコンテンツにそれぞれ対応するコンテンツ識別画像を表示部１３０に表示させるよう制御する表示制御部１１５と、コンテンツ識別画像のいずれかが指示されたときに、指示されたコンテンツ識別画像の表示範囲に対する指示位置に基づいて、コンテンツの再生位置を決定する位置決定部１１２と、決定されたコンテンツを決定された再生位置から再生する再生制御部１１４と、を備える。【選択図】図１
2012185899.tif 000002
【特許請求の範囲】
【請求項１】
複数のコンテンツのそれぞれの情報を記憶する記憶部と、
前記複数のコンテンツにそれぞれ対応するコンテンツ識別画像を表示部に表示させるよう制御する表示制御部と、
前記コンテンツ識別画像のいずれかが指示されたときに、前記指示されたコンテンツ識別画像の表示範囲に対する指示位置に基づいて、コンテンツの再生位置を決定する位置決定部と、
前記決定されたコンテンツを前記決定された再生位置から再生する再生制御部と、を備える、
ことを特徴とする再生装置。
【請求項２】
前記再生制御部は、前記決定されたコンテンツを前記決定された再生位置から所定時間繰り返し再生する、
ことを特徴とする請求項１に記載の再生装置。
【請求項３】
前記再生制御部は、前記決定されたコンテンツを前記決定された再生位置から再生中に他のコンテンツの指示入力があった場合に、前記他のコンテンツに切り替えて前記他のコンテンツを再生する、
ことを特徴とする請求項１又は２に記載の再生装置。
【請求項４】
複数のコンテンツのそれぞれの情報を記憶し、
前記複数のコンテンツにそれぞれ対応するコンテンツ識別画像を表示部に表示させるよう制御し、
前記コンテンツ識別画像のいずれかが指示されたときに、前記指示されたコンテンツ識別画像の表示範囲に対する指示位置に基づいて、コンテンツの再生位置を決定し、
前記決定されたコンテンツを前記決定された再生位置から再生する、
ことを特徴とする再生方法。
【請求項５】
コンピュータを、
複数のコンテンツのそれぞれに対応するコンテンツ識別画像を表示部に表示させるよう制御する表示制御部、
前記コンテンツ識別画像のいずれかが指示されたときに、前記指示されたコンテンツ識別画像の表示範囲に対する指示位置に基づいて、コンテンツの再生位置を決定する位置決定部、
前記決定されたコンテンツを前記決定された再生位置から再生する再生制御部、として機能させる、
ことを特徴とするプログラム。
【発明の詳細な説明】
【技術分野】
【０００１】
本発明は、再生装置、再生方法、及び、プログラムに関する。
【背景技術】
【０００２】
複数のコンテンツから、任意のコンテンツをユーザが選択・決定して、コンテンツ情報を再生する再生装置が知られている。しかしながら、複数のコンテンツがあるため、当該複数のコンテンツからユーザが所望するコンテンツを見つけ出すまでに時間を要する場合があった。そこで、例えば、特許文献１には、複数のコンテンツから、ユーザが選択したコンテンツ情報を一部再生し、当該一部再生したコンテンツ情報をユーザが聴くことにより、ユーザが所望するコンテンツを効率的に見つけ出す方法が開示されている。
【先行技術文献】
【特許文献】
【０００３】
【特許文献１】特開２００６−３４４３４２号公報
【発明の概要】
【発明が解決しようとする課題】
【０００４】
しかしながら、特許文献１に開示されている構成では、ユーザが選択したコンテンツ情報が一部再生される位置（箇所）が決まっており、コンテンツによっては、一部再生されたコンテンツがいかなるコンテンツかをユーザが判断できない場合があった。そこで、ユーザが所望するコンテンツを効率的に見つけ出すことができる新たな方法が求められている。
【０００５】
本発明は、上記事情に鑑みてなされたものであり、コンテンツ情報を一部再生する位置（箇所）を容易に変更することにより、ユーザが所望するコンテンツを効率的に見つけ出すことができる再生装置、再生方法、及び、プログラムを提供することを目的とする。
【課題を解決するための手段】
【０００６】
上記目的を達成するため、本発明の第１の観点に係る再生装置は、
複数のコンテンツのそれぞれの情報を記憶する記憶部と、
前記複数のコンテンツにそれぞれ対応するコンテンツ識別画像を表示部に表示させるよう制御する表示制御部と、
前記コンテンツ識別画像のいずれかが指示されたときに、前記指示されたコンテンツ識別画像の表示範囲に対する指示位置に基づいて、コンテンツの再生位置を決定する位置決定部と、
前記決定されたコンテンツを前記決定された再生位置から再生する再生制御部と、を備える、
ことを特徴とする。
【０００７】
前記再生制御部は、前記決定されたコンテンツを前記決定された再生位置から所定時間繰り返し再生する、こともできる。
【０００８】
前記再生制御部は、前記決定されたコンテンツを前記決定された再生位置から再生中に他のコンテンツの指示入力があった場合に、前記他のコンテンツに切り替えて前記他のコンテンツを再生する、こともできる。
【０００９】
本発明の第２の観点に係る再生方法は、
複数のコンテンツのそれぞれの情報を記憶し、
前記複数のコンテンツにそれぞれ対応するコンテンツ識別画像を表示部に表示させるよう制御し、
前記コンテンツ識別画像のいずれかが指示されたときに、前記指示されたコンテンツ識別画像の表示範囲に対する指示位置に基づいて、コンテンツの再生位置を決定し、
前記決定されたコンテンツを前記決定された再生位置から再生する、
ことを特徴とする。
【００１０】
本発明の第３の観点に係るプログラムは、
コンピュータを、
複数のコンテンツのそれぞれに対応するコンテンツ識別画像を表示部に表示させるよう制御する表示制御部、
前記コンテンツ識別画像のいずれかが指示されたときに、前記指示されたコンテンツ識別画像の表示範囲に対する指示位置に基づいて、コンテンツの再生位置を決定する位置決定部、
前記決定されたコンテンツを前記決定された再生位置から再生する再生制御部、として機能させる、
ことを特徴とする。
【発明の効果】
【００１１】
本発明によれば、コンテンツ情報を一部再生する位置（箇所）を容易に変更することにより、ユーザが所望するコンテンツを効率的に見つけ出すことができる。
【図面の簡単な説明】
【００１２】
【図１】実施形態１に係る再生装置の構成を示す図である。
【図２】実施形態１に係る再生処理を説明するためのフローチャートである。
【図３Ａ】通常再生モードにおける画面の表示例を示す図である。
【図３Ｂ】一部再生モードにおける画面の表示例を示す図である。
【図４】指示されたコンテンツのコンテンツ識別画像の表示例を示す図である。
【図５】再生開始時間の決定方法を説明するための図である。
【図６】再生開始時間の変更方法を説明するための図である。
【図７】実施形態２に係る再生装置の構成を示す図である。
【図８】実施形態２に係る再生処理を説明するためのフローチャートである。
【図９】再生時間の決定方法を説明するための図である。
【発明を実施するための形態】
【００１３】
以下に本発明の実施形態を説明する。以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００１４】
（実施形態１）
本発明の実施形態１に係る再生装置は、マルチメディア情報（例えば、音声情報、映像情報、文字情報、及び、これらの複合情報）を再生することにより、当該情報をユーザに提供する装置である。再生装置１００は、図１に示すように、制御部１１０、記憶部１２０、表示部１３０、入力部１４０、出力部１５０から構成される。
【００１５】
制御部１１０は、例えば、ＣＰＵ（Central Processing Unit）などの演算処理回路やワークエリアとなるＲＡＭ（Random Access Memory）、各種ドライバなどから構成され、再生装置１００の各部を制御するとともに、記憶部１２０に格納されている所定の動作プログラムに基づいて後述する各処理を実行する。制御部１１０は、同図に示すように、指示制御部１１１、位置決定部１１２、対象決定部１１３、再生制御部１１４、表示制御部１１５から構成される。また、再生装置１００内の各構成は、それぞれ制御部１１０と接続されており、各構成間でのデータ授受などは制御部１１０を介しておこなわれる。
【００１６】
指示制御部１１１は、再生すべきコンテンツを決定する前に、複数のコンテンツのいずれかからコンテンツの指示を制御する。ここで、コンテンツとは、例えば、楽曲や映像から構成される情報をいう。指示制御部１１１は、ユーザからの入力指示（入力部１４０）に基づいて、複数のコンテンツから、１つのコンテンツの指示を制御する。
【００１７】
位置決定部１１２は、指示制御部１１１により指示されたコンテンツを一部再生する再生位置を決定する。コンテンツの再生位置を決定する方法については、後述する。
【００１８】
対象決定部１１３は、複数のコンテンツのいずれかから、再生位置が決定され、一部再生を行うためのコンテンツを再生対象として決定する。ここで、決定とは、指示制御部１１１により指示されているコンテンツを、一部再生を行うコンテンツとして選ぶ行為をいう。また、一部再生とは、所定の時間（例えば、５分間）から構成されるコンテンツの一部分（例えば、１分間）を再生する行為をいう。対象決定部１１３により再生対象としてのコンテンツが決定されると、当該コンテンツが一部再生される。
【００１９】
再生制御部１１４は、対象決定部１１３により再生対象として決定されたコンテンツを再生するように制御する。再生するように制御されたコンテンツは、表示部１３０や出力部１５０により出力（再生）される。
【００２０】
表示制御部１１５は、表示部１３０に所定の画像を表示させるように制御する。
【００２１】
記憶部１２０は、例えば、ＲＯＭ（Read Only Memory）やフラッシュメモリなどといった所定の記憶装置から構成され、制御部１１０が実行する動作プログラム（アプリケーション）の他、各処理の実行に必要なデータや各処理の実行によって取得又は生成されたデータなどを格納する。再生装置１００による処理は、記憶部１２０に記憶された動作プログラムを制御部１１０が実行することで実現される。
【００２２】
また、記憶部１２０は、複数のコンテンツが所定の順序（例えば、五十音順、記録順、ユーザが定めた順）で定められたプレイリスト、楽曲や映像から構成される複数のマルチメディア情報を記憶する。各マルチメディア情報には、楽曲・映像のタイトル情報、音声情報、映像情報、記録時間（録音・録画時間）情報等が含まれる。
【００２３】
表示部１３０は、例えば、ドットマトリクスタイプのＬＣＤ若しくは有機ＥＬパネルとドライバ回路等を備え、任意の画像を表示する。表示部１３０は、複数のコンテンツにそれぞれ対応するコンテンツ識別画像を表示して、ユーザに対して操作を行うように促す。ここで、コンテンツ識別画像とは、操作画面上に、再生対象であるコンテンツを絵や記号や文字などによって表現したものをいう。当該コンテンツ識別画像が複数リスト状に表示されることにより、プレイリストとして機能する。ユーザは、表示されたプレイリストを参照し、コンテンツの内容を表示したコンテンツ識別画像を選択することにより、コンテンツの指示・決定を行う。また、表示部１３０は、位置決定部１１２により決定されたコンテンツについて、一部再生を開始する位置（再生開始時間）を表示する。
【００２４】
入力部１４０は、ユーザからの指示を受け付けるための各種のキー（例えば、上下左右キー（十字キー）、カーソルキー）、ボタン若しくはタッチパネル等を備え、制御部１１０への各種の指示やデータを入力する。入力部１４０は、複数のコンテンツのいずれかを指示するための入力指示、及び、指示されたコンテンツを再生対象として決定するための入力指示を、ユーザから受け付けて、当該入力指示を制御部１１０へ入力する。
【００２５】
出力部１５０は、例えば、スピーカなどから構成され、再生されたマルチメディア情報を音声信号、映像信号に変換することにより、音声・映像を出力する。
【００２６】
次に、本実施形態に係る再生装置１００の再生動作について、図面を参照して説明する。
【００２７】
まず、再生装置１００の電源を投入すると、再生装置１００は、図２に示す再生処理を開始する。
制御部１１０は、表示部１３０を制御することにより、図３Ａに示すような、
複数のコンテンツからユーザが所望するコンテンツを決定するための画面２００を表示する（ステップＳ１０１）。具体的には、制御部１１０は、当該画面２００上に、複数のコンテンツのコンテンツ識別画像２０２がリスト状に並べられたプレイリスト２０１、コンテンツの内容を表すコンテンツ識別画像２０２（２０２ａ、２０２ｂ、２０２ｃ、２０２ｄ、２０２ｅ、・・・）を表示する。各コンテンツのコンテンツ識別画像２０２には、コンテンツのタイトル（ここでは、コンテンツＡ、コンテンツＢ、・・・、コンテンツＥ）、及び、コンテンツの記録時間（ここでは、時間：５：００、時間：１：３０、・・・、時間：０：４０）が表示され、ユーザは、当該コンテンツのタイトルや記録時間を視認することにより、複数のコンテンツから所望のコンテンツを指示・決定する。
【００２８】
次に、制御部１１０は、入力部１４０を制御して、ユーザからの入力を受け付ける（ステップＳ１０２）。例えば、ユーザは、入力部１４０が備える上下左右キー（十字キー）を操作して、プレイリスト２０１から、コンテンツのコンテンツ識別画像２０２を指示する。例えば図３Ａにおいて、ユーザが下キーを押下すると、コンテンツＡのコンテンツ識別画像２０２ａが指示される。次に、ユーザが下キーを押下すると、コンテンツＢのコンテンツ識別画像２０２ｂが指示される。ユーザがキーを順次押下することによって、指示されるコンテンツ識別画像２０２が、コンテンツＡ、コンテンツＢ、コンテンツＣ・・・と変化していく。また、ユーザは、入力部１４０が備えるカーソルキーを押下することにより、再生モード（通常再生モード、一部再生モード）を切り替える。ここで、カーソルキーとは、典型的には、カーソルを操作するためのキーであり、カーソルの表示又は非表示を行うことができる任意のキーである。また、通常再生モードとは、ユーザが決定したコンテンツを全再生（最初から最後まで再生）するためのモードをいい、コンテンツを再生するための一般的なモードである。また、一部再生モードとは、コンテンツの一部分を再生するためのモードをいう。
【００２９】
次に、制御部１１０は、入力部１４０を制御して、入力部１４０が備えるカーソルキーが押下されたか否かを判定する（ステップＳ１０３）。当該カーソルキーが押下されたか否かに基づいて、コンテンツを再生するための再生モードが判定される。
【００３０】
カーソルキーが押下されていない場合（ステップＳ１０３；Ｎｏ）、制御部１１０は、入力部１４０及び表示部１３０を制御して、ユーザが所望するコンテンツを指示するために、入力部１４０が備える上下左右キー（十字キー）からの入力を受け付けて（ステップＳ１０４）、ユーザが指定したコンテンツのコンテンツ識別画像２０２を強調表示（ハイライト表示）する（ステップＳ１０５）。これによって、ユーザは、何れのコンテンツ（のコンテンツ識別画像）が現在指示されているのかを認識することができる。
【００３１】
次に、制御部１１０は、入力部１４０及び対象決定部１１３を制御して、指示されているコンテンツが再生対象として決定されたか否かを判定する（ステップＳ１０６）。
【００３２】
コンテンツが再生対象として決定された場合（ステップＳ１０６；Ｙｅｓ）、制御部１１０は、再生制御部１１４を制御して、コンテンツの全再生を行う（ステップＳ１０７）。例えば、コンテンツＣのコンテンツ識別画像２０２ｃが強調表示されている場合に、再生を促すキーをユーザが押下すると、コンテンツＣの全再生が行われる。そして、制御部１１０は、入力部１４０を制御してユーザからの入力を受け付けて（ステップＳ１０２）、入力部１４０が備えるカーソルキーが押下されたか否かを再び判定する（ステップＳ１０３）。
【００３３】
一方、コンテンツが再生対象として決定されていない場合（ステップＳ１０６；Ｎｏ）、ステップＳ１０３に戻り、制御部１１０は、入力部１４０を制御して、カーソルキーが押下されたか否かを再び判定する。コンテンツの全再生を行うための通常再生モードは、ステップＳ１０４〜Ｓ１０７の処理において実現される。
【００３４】
ステップＳ１０３において、カーソルキーが押下された場合（ステップＳ１０３；Ｙｅｓ）、制御部１１０は、入力部１４０及び指示制御部１１１を制御することにより、図３Ｂに示すように、カーソル２０３を表示し、当該カーソル２０３を用いて複数のコンテンツから１つのコンテンツを指示するようユーザを促して、ユーザが所望するコンテンツを受け付ける（ステップＳ１０８）。ユーザは、プレイリスト２０１上に示された、コンテンツのコンテンツ識別画像２０２上に表示されたタイトルや記録時間を視認しながら、キーやタッチパネルを操作することによりカーソル２０３を上下左右の任意の方向に移動させてコンテンツ識別画像２０２を指示することにより、当該複数のコンテンツから任意のコンテンツを１つ選択する。なお、カーソルキーが押下されると、カーソル２０３は、任意の位置（例えば、コンテンツ識別画像２０２の左端位置、ユーザが設定した位置、前回の指示位置等）に表示される。
【００３５】
次に、制御部１１０は、表示部１３０を制御することにより、指示されたコンテンツのコンテンツ識別画像２０２を強調表示（ハイライト表示）する（ステップＳ１０９）。図４に示すように、制御部１１０は、ユーザが操作したカーソル２０３により指示されたコンテンツのコンテンツ識別画像２０２ｃをハイライト表示することにより、コンテンツＣが指示（選択）されていることをユーザに対して明示する。
【００３６】
次に、制御部１１０は、位置決定部１１２を制御することにより、カーソル２０３が指示しているコンテンツのコンテンツ識別画像２０２の指示位置に基づいて、当該コンテンツの一部再生を開始する位置（再生開始時間）を決定（導出）する。そして、制御部１１０は、表示部１３０を制御することにより、当該再生開始時間を表示する（ステップＳ１１０）。ここで、図５を用いて、再生開始時間を導出する方法について説明する。本図では、ユーザが操作したカーソル２０３によりコンテンツのコンテンツ識別画像２０２ｃが指示され、当該コンテンツ（コンテンツＣ）が選択されている。コンテンツのコンテンツ識別画像２０２ｃには、再生開始時間を決定するための開始位置３０１と終了位置３０２とが予め定められている。制御部１１０は、カーソル２０３がコンテンツのコンテンツ識別画像２０２ｃを指示している指示位置３０３と、開始位置３０１及び終了位置３０２とに基づいて、当該コンテンツ（コンテンツＣ）の一部再生を開始する再生開始時間を決定する。具体的には、コンテンツの記録時間（録音時間）を時間Ｔｒ、開始位置３０１と指示位置３０３との距離を距離Ｌ１、開始位置３０１と終了位置３０２との距離を距離Ｌ２とした場合、再生開始時間Ｔは、以下の式（１）により導出される。
Ｔ＝Ｔｒ×Ｌ１／Ｌ２ （１）
ここで、コンテンツ（コンテンツＣ）の記録時間Ｔｒは４：００であるため、制御部１１０は、距離Ｌ１と距離Ｌ２との比率（ここでは、１／８）に、記録時間Ｔｒ＝４：００を乗じることにより、再生開始時間Ｔを０：３０と決定（導出）する。そして、制御部１１０は、決定した再生開始時間Ｔ＝０：３０を、再生開始時間２０４として画面２００上に表示する。
【００３７】
次に、制御部１１０は、入力部１４０及び対象決定部１１３を制御して、指示されているコンテンツが再生対象として決定され、再生開始時間が決定されたか否かを判別する（ステップＳ１１１）。
【００３８】
再生開始時間が決定されていない場合（ステップＳ１１１；Ｎｏ）、制御部１１０は、再生開始時間２０４を画面２００上に表示し続け、ユーザが所望するコンテンツを再び受け付ける（ステップＳ１０８）。ここで、再生対象としてコンテンツが決定されていない状態において、ユーザがカーソル２０３を移動することによって、再生開始時間を更新する方法について説明する。図６に示すように、カーソル２０３が、最初に指示した指示位置３０３から右方向に移動して行き、移動位置３０４に到達すると、当該カーソル２０３の移動に伴い、距離Ｌ１は変化する。距離Ｌ１が変化すると、距離Ｌ１と距離Ｌ２との比率も変化するため、式（１）から導出される再生開始時間Ｔも変化することとなる。制御部１１０は、位置決定部１１２及び表示部１３０を制御することにより、距離Ｌ１の変化に伴って変化する再生開始時間Ｔを、再生開始時間２０４として画面２００に表示する。このため、カーソル２０３の移動に伴って、表示される再生開始時間２０４も変化する。これにより、コンテンツの一部再生を開始する再生開始時間を容易に変更することができるため、複数のコンテンツからユーザが所望するコンテンツを効率的に見つけ出すことができる。
【００３９】
一方、コンテンツが再生対象として決定され、再生開始時間が決定された場合（ステップＳ１１１；Ｙｅｓ）、制御部１１０は、再生制御部１１４を制御して、決定された再生開始時間Ｔから所定時間、決定されたコンテンツに対応する情報を一部再生する（ステップＳ１１２）。図４の場合、制御部１１０は、コンテンツ（コンテンツＣ）に対応する情報を、再生開始時間である０：３０から所定時間（例えば、６０秒間）、一部再生する。これにより、任意のコンテンツについて、ユーザが所望する再生開始時間から一部再生し、当該一部再生をユーザが聴くことにより、複数のコンテンツから所望のコンテンツを効率的に見つけ出すことができる。なお、コンテンツを一部再生する所定時間は、例えば、ユーザによって予め定められた時間、前回の再生時間、コンテンツの全体時間の１０％に相当する時間等、任意である。
【００４０】
次に、制御部１１０は、入力部１４０を制御してユーザからの入力を受け付けて、カーソルキーが押下されたか否かを判定する（ステップＳ１１３）。一部再生が行われているコンテンツが、ユーザが所望するコンテンツではないために、一部再生の途中であっても他のコンテンツを一部再生したい場合がある。そこで、制御部１１０は、カーソルキーが押下されたか否かを判定し（ステップＳ１１３）、当該カーソルキーが押下された場合（ステップＳ１１３；Ｙｅｓ）、プレイリスト２０１等が表示される画面２００に戻り、再び入力を受け付ける（ステップＳ１０２）。これにより、一部再生の途中であっても、当該一部再生されたコンテンツ以外のコンテンツを指示・決定することができる。コンテンツの一部分の再生を行うための一部再生モードは、ステップＳ１０８〜Ｓ１１３の処理において実現される。
【００４１】
なお、制御部１１０は、コンテンツを一部再生している間、再生開始時間を表示している間、コンテンツのコンテンツ識別画像２０２を強調表示している間等の任意のタイミングにおいて、指示されているコンテンツを全再生する、すなわち、一部再生モードから通常再生モードに切り替える決定（要求）を受け付けて、当該コンテンツを全再生することができる。制御部１１０は、コンテンツを全再生する決定を受け付けると、再生開始時間Ｔから所定時間だけ一部再生する一部再生処理を終了して、当該コンテンツを最初から最後まで再生する全再生処理を実行する。これにより、ユーザが所望したコンテンツを見つけた際には、当該コンテンツをすぐに全再生することができる。
【００４２】
また、再生開始時間Ｔから所定時間、コンテンツが一部再生され、当該所定時間が経過した後も、他のコンテンツが指示されていない場合、制御部１１０は、一部再生されたコンテンツを、再生開始時間Ｔから所定時間の再生を再び行う、いわゆるループ再生を行うことができる。また、制御部１１０は、コンテンツを再生開始時間から所定時間ｔ再生した後、当該所定時間ｔに所定の追加時間ｔａを加えた所定追加時間（ｔ＋ｔａ）、コンテンツを再生することもできる。また、制御部１１０は、コンテンツの一部再生モードから通常再生モードに切り替えることで、コンテンツを開始から終了まで全再生することもできる。これにより、コンテンツの一部再生を聴いたユーザが、当該コンテンツを把握することができなかった場合でも、さらに再生が行われるため、ユーザが所望するコンテンツを効率的に見つけ出すことができる。
【００４３】
以上の処理により、複数のコンテンツから任意のコンテンツを指示して、当該コンテンツを一部再生する再生開始時間を容易に変更し、当該コンテンツの一部再生をユーザが聴くことにより、ユーザが所望するコンテンツを効率的に見つけ出すことができる。
【００４４】
（実施形態２）
実施形態１に係る再生装置１００では、コンテンツの一部再生を開始する再生開始時間を容易に変更する方法について示した。本実施形態では、コンテンツの一部再生が行われる再生時間を容易に変更する方法について説明する。なお、実施形態１に係る再生装置１００と同様の構成、動作については、説明を適宜省略する。
【００４５】
本実施形態に係る再生装置１０１は、図７に示すように、指示制御部１１１、対象決定部１１３、再生制御部１１４、表示制御部１１５、及び、時間決定部１１６を備える制御部１１０、記憶部１２０、表示部１３０、入力部１４０、及び、出力部１５０から構成される。なお、再生装置１０１が備える、指示制御部１１１、対象決定部１１３、再生制御部１１４、表示制御部１１５、記憶部１２０、表示部１３０、入力部１４０、及び、出力部１５０は、再生装置１００が備えるものと同様であるため説明を省略する。
【００４６】
時間決定部１１６は、指示制御部１１１により指示されたコンテンツを一部再生する再生時間を決定する。コンテンツを一部再生する再生時間を決定する方法については、後述する。
【００４７】
次に、本実施形態に係る再生装置１０１の再生動作について、図面を参照して説明する。なお、本実施形態に係るステップＳ１０１〜Ｓ１０９、及び、Ｓ１１１〜Ｓ１１３の処理については、実施形態１に係る処理と同様の動作であるため、説明を省略する。
【００４８】
制御部１１０は、時間決定部１１６を制御することにより、カーソル２０３が指示しているコンテンツのコンテンツ識別画像２０２の指示位置に基づいて、当該コンテンツを一部再生する再生時間を決定（導出）する。制御部１１０は、表示部１３０を制御することにより、当該再生時間を表示する（ステップＳ２０１）。ここで、図９を用いて、コンテンツを一部再生する再生時間を導出する方法について説明する。本図では、ユーザが操作したカーソル２０３によりコンテンツのコンテンツ識別画像２０２ｃが指示され、当該コンテンツ（コンテンツＣ）が選択されている。コンテンツのコンテンツ識別画像２０２ｃには、再生時間を決定するための開始位置３０１と終了位置３０２とが予め定められている。制御部１１０は、カーソル２０３がコンテンツのコンテンツ識別画像２０２ｃを指示している指示位置３０３と、開始位置３０１及び終了位置３０２とに基づいて、コンテンツを一部再生する開始時間を決定する。具体的には、コンテンツの記録時間（録音時間）を時間Ｔｒ、開始位置３０１と指示位置３０３との距離を距離Ｌ１、開始位置３０１と終了位置３０２との距離を距離Ｌ２とした場合、再生時間Ｔｐは、以下の式（２）により導出される。
Ｔｐ＝Ｔｒ×Ｌ１／Ｌ２ （２）
ここで、コンテンツ（コンテンツＣ）の記録時間Ｔｒは４：００であるため、制御部１１０は、距離Ｌ１と距離Ｌ２との比率（ここでは、１／８）に、記録時間Ｔｒ＝４：００を乗じることにより、再生時間Ｔｐを０：３０と決定（導出）する。そして、制御部１１０は、決定した再生時間Ｔｐ＝０：３０を、再生時間２０５として画面２００上に表示する。
【００４９】
次に、コンテンツが再生対象として決定され、再生時間が決定された場合（ステップＳ１１１；Ｙｅｓ）、制御部１１０は、再生制御部１１４を制御して、ステップＳ２０１において決定された再生時間だけ、コンテンツを一部再生する（ステップＳ１１２）。図９の場合、制御部１１０は、コンテンツのコンテンツ識別画像２０２ｃ（コンテンツＣ）に対応するコンテンツを、０：００から０：３０まで一部再生する。
【００５０】
以上の処理により、複数のコンテンツから任意のコンテンツを指示して、当該コンテンツを一部再生する再生時間を容易に変更し、当該コンテンツの再生をユーザが聴くことにより、ユーザが所望するコンテンツを効率的に見つけ出すことができる。
【００５１】
なお、本発明は上記の実施形態に限定されず、種々の変形及び応用が可能である。
【００５２】
本発明の上記の実施形態は、ラジオ番組等のように音楽やＣＭが入り混じったコンテンツの場合を中心に記載していますが、これに限らず、ＴＶ番組などにおいても有効である。その場合は、コンテンツ識別画像２０２としてサムネイルを表示して、上記の実施形態と同様に、コンテンツ識別画像２０２としてサムネイルの任意の位置が指示されると、その指示位置から動画等のコンテンツを一部再生することも可能である。
【００５３】
再生開始時間Ｔ、及び、再生時間Ｔｐを決定するための開始位置３０１及び終了位置３０２の位置は、任意である。
【００５４】
コンテンツのコンテンツ識別画像２０２を表示する方法は任意である。また、コンテンツのコンテンツ識別画像２０２を強調表示する方法は任意である。例えば、コンテンツのコンテンツ識別画像２０２の表示サイズを大きくする、コンテンツのコンテンツ識別画像２０２のタイトル文字を大きくする、コンテンツのコンテンツ識別画像２０２の表示形状を変形する（コンテンツ識別画像２０２の形状を、円形、正方形、楕円形、又は、星形等にする）等、任意の手法により、コンテンツのコンテンツ識別画像２０２を表示することもできる。
【００５５】
再生開始時間２０４、及び、再生時間２０５の表示位置、表示サイズ、及び、表示方法は、任意である。
【００５６】
コンテンツを指示・決定するためにカーソル２０３を用いたが、ユーザがタッチパネルをタッチした位置を、カーソル２０３の指示位置とすることもできる。
【００５７】
その他、前記のハードウエェア構成やフローチャートは一例であり、任意に変更および修正が可能である。
【００５８】
制御部１１０、記憶部１２０、表示部１３０、入力部１４０、出力部１５０から構成される再生装置１００、１０１の処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する再生装置１００、１０１を構成してもよい。また、インターネット等の通信ネットワーク上のサーバ装置が有する記憶装置に当該コンピュータプログラムを格納しておき、通常のコンピュータシステムがダウンロード等することで再生装置１００、１０１を構成してもよい。
【００５９】
また、再生装置１００の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６０】
また、搬送波にコンピュータプログラムを重畳し、通信ネットワークを介して配信することも可能である。たとえば、通信ネットワーク上の掲示板（BBS; Bulletin Board System）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【符号の説明】
【００６１】
１００、１０１  再生装置
１１０  制御部
１１１  指示制御部
１１２  位置決定部
１１３  対象決定部
１１４  再生制御部
１１５  表示制御部
１１６  時間決定部
１２０  記憶部
１３０  表示部
１４０  入力部
１５０  出力部
【図１】
2012185899.tif 000003
【図２】
2012185899.tif 000004
【図３Ａ】
2012185899.tif 000005
【図３Ｂ】
2012185899.tif 000006
【図４】
2012185899.tif 000007
【図５】
2012185899.tif 000008
【図６】
2012185899.tif 000009
【図７】
2012185899.tif 000010
【図８】
2012185899.tif 000011
【図９】
2012185899.tif 000012